(57)【要約】【課題】従来は、魚体（９）のアタリを探り、経験則による裁量のアワセ工程から、釣り人の誘導によりアワセを有する作業とした。このように、作業は経験則が優先され、初心者は、難易で釣り果ゼロの時もあり、水面・水中の悪条件の時でも、釣り人の経験則なしで、魚体（９）のアタリを的確に捉え、装置の裁量によるアワセを行う事を有する仕掛け装置の必要。【解決手段】本発明は、可動用ピン（４）に接続の引張りスプリング（２）が、魚体（９）のアタリが誘導するストッパー（１ハ）を解除する事により本体装置が作動する。主軸パイプ本体（１）に設置のスリット（１ロ）に誘導する事による課題の解決。異なる魚体（９）の対応は、強弱を異にした引張りスプリング（２）の選択により適合する課題の解決。【選択図】図１
2016019509.tif 000002
【特許請求の範囲】
【請求項１】
可動用ピンに接続の引張りスプリングは、魚体のアタリで誘導するストッパー解除により、主軸パイプ本体（１）設置のスリットに誘導される構成を有する事を特徴とする、スプリング仕掛け装置付の釣針である。
【請求項２】
前項のスプリング仕掛け装置は、主軸パイプ本体設置の固定用ピンホールを通して固定用ピンで接続された引張りスプリングをスリットで誘導し、可動用ピンをストッパーに固定後、魚体のアタリにより、機能構成を有する事を特徴とする、請求項１記載のスプリング仕掛け装置付の釣針である。
【請求項３】
前項のスプリング仕掛け装置は、異なる大きさの魚体に適応する為、強弱の異なる引張りスプリングを有する事を特徴とする、請求項１、請求項２記載のスプリング仕掛け装置付の釣針である。
【請求項４】
前項のスプリング仕掛け装置は、魚体のアタリにより、引張りスプリングに接続した可動用ピンが可動し、簡易のストッパーを解除し、スリットに誘導する機能構成を有する事を特徴とする、請求項１、請求項２、請求項３記載のスプリング仕掛け装置付の釣針である。
【発明の詳細な説明】
【発明の詳細な説明】
【発明に属する技術分野】
【０００１】本発明は、魚体のアタリに対し、釣り人に代わり、本装置の裁量でアタリ・アワセを行う事により機能構成する、スプリング仕掛け装置付の釣針に関する。
【背景技術】
【０００２】従来の技術は、釣り人の経験則を優先し、釣竿を通して、魚体のアタリを認識した後、アワセを有する作業となる。【０００３】従って、水面・水中の悪条件の時は、より的確に魚体のアタリに対応するアワセのできる、浮・バネ付釣針商品の開発がなされてきた。
【特許文献１】
【特許文献２】
【発明の開示】
【発明が解決しようとする課題】
【０００４】従来は、魚体のアタリを探り、経験則によるアワセ工程から、釣り人の裁量によるアワセを有する作業とした。このように、釣り作業は経験則が優先され、初心者は難易で釣り果ゼロの時もある。水面・水中の悪条件の時でも、釣り人の経験則なしで、魚体のアタリを的確に捉え、装置の裁量によるアワセを行う事を有する仕掛け装置の必要。【０００５】本発明は前期の問題を解決し、経験則を優先する高難易のアワセを行う事なしに釣り果を高め、又、漁夫が釣竿に集中する事なしに魚体のアタリを装置の裁量に委ねアワセを行う事を有する、スプリング仕掛け装置付の釣針を提供する事の解決。
【課題を解決するための手段】
【０００６】本発明は、可動用ピン（４）に接続の引張りスプリング（２）が、魚体（９）のアタリによる外力でストッパー（１ハ）を解除させ、主軸パイプ本体（１）のスリット（１ロ）に誘導する事による装置の課題を解決。【０００７】本発明は、異なる大きさの魚体（９）に適応する為、適応する強弱の異なる引張りスプリング（２）の選択で適合する事による装置の課題を解決。
【発明の効果】
【０００８】以上のように本発明は、釣り人が釣条件に対し、強弱を異にする引張りスプリング（２）の選択で、異なる大きさの魚体（９）に適応し、釣り人の裁量による組み立て、及び、分解を有し、裁量による高難易のアワセを行う事なしに釣り果を高める事ができる。又、漁夫は、釣竿に集中する事なく、本装置の裁量でアタリ・アワセを委ねる事による釣操作に容易な効果。
【発明を実施するための最良の形態】
【０００９】以下、図面を参照して、本発明のスプリング仕掛け装置付（１）の釣針（８）の釣操作についての実施形態を説明する。本発明は、魚体（９）のアタリが誘導する外力要因により本装置が作動する。又、本装置の裁量によりアワセを行うが、異なる大きさの魚体（９）に対応する為に、強弱を異にする引張りスプリング（２）を選択する事により、異なる大きさの魚体（９）に即した。【００１０】従って、可動用ピン（４）のセット後、魚体（９）のアタリ・アワセを簡便に機能させるストッパー（１ハ）を設置。又、固定・脱却の連続性を容易にする間隙幅の必要。【００１１】従って前項より、主軸パイプ本体（１）・固定用ピン（３）・可動用ピン（４）・引張りスプリング（２）のパーツから機能構成され、釣り人の裁量により、各パーツ別の分解・組み立てに即した。
【実施例】
【００１２】本発明の実施例を図面に基づく斜視図で説明する。
図１の主軸用パイプ本体（１）は、魚体（９）のアタリによりストッパー（１ハ）を解除する事による引張りスプリング（２）の最小伸縮状態を示している。主軸パイプ本体（１）はプラスチック製とし、形状は釣り場状況に適合した数種類の主軸パイプ本体（１）を有するが、異なる魚体（９）により、強弱の異にした引張りスプリング（２）の選択の必要。又、線材形状は丸線の形状記憶合金製品とし、引張りスプリング（２）に接続の固定用ピン（３）・可動用ピン（４）・接続リング（２イ）はステンレス製としたい。【００１３】図２は、主軸パイプ本体（１）のストッパー（１ハ）に引張りスプリング（２）に接続の可動用ピン（４）をセットし、魚体（９）のアタリを待つ状態を示す。【００１４】図３は、魚体（９）のアタリを示し、本体装置の裁量によるアワセを行い、引張りスプリング（２）に接続の可動用ピン（４）がストッパー（１ハ）より脱却した状態を示す。【００１５】図４は、本体装置の分解詳細斜視図であり、主軸パイプ本体（１）・引張りスプリング（２）・固定用ピン（３）・可動用ピン（４）の各パーツに分解し、設置のスリット（１ロ）を可動ピンが上下に可動する。【００１６】図５と図６は、平面図と底面図を示すが、平面図の主軸用パイプキャップ（１イ）は接続リング（２イ）、低面図の主軸用パイプキャップ（１イ）は、道糸の開通穴を示す。
【図面の簡単な説明】
【００１７】
【図１】本発明の実施の一形態によるスプリング仕掛け装置付の斜視図
【図２】正面図・背面図
【図３】正面図・背面図
【図４】分解詳細斜視図
【図５】平面図
【図６】底面図
【符号の説明】
【００１８】１      主軸パイプ本体
１イ    主軸用パイプキャップ
１ロ    スリット
１ハ    ストッパー
１二    固定用ピンホール
２      引っ張りスプリング
２イ    接続リング
３      固定用ピン
３イ    固定用ピンナット
４      可動用ピン
４イ    可動用ピンナット
５      サル管
５イ    サル管接続リング
６      ハリス
７      道糸
８      釣針
９      魚体
【図１】
2016019509.tif 000003
【図２】
2016019509.tif 000004
【図３】
2016019509.tif 000005
【図４】
2016019509.tif 000006
【図５】
2016019509.tif 000007
【図６】
2016019509.tif 000008